(57)【要約】【課題】被写体の像にユーザが任意に作成した図形画像を重ね合わせて表示することができる撮像装置を提供する。【解決手段】被写体光を撮像する撮像素子６１と、前記撮像素子から出力される撮像信号に基づく画像の表示を行なう表示部６３とを備える撮像装置２であって、ユーザにより作成された図形画像データを記憶する記憶部６７と、前記記憶部から前記図形画像データを読み出す読出部６０と、前記撮像素子から出力される前記撮像信号に基づくスルー画像と前記読出部により読み出された前記図形画像データに基づく画像を前記表示部において重ね合わせて表示する表示制御部６４とを備える。【選択図】  図１
2009033507.tif 000002
【特許請求の範囲】
【請求項１】
被写体光を撮像する撮像素子と、
前記撮像素子から出力される撮像信号に基づく画像の表示を行なう表示部と
を備える撮像装置であって、
ユーザにより作成された図形画像データを記憶する記憶部と、
前記記憶部から前記図形画像データを読み出す読出部と、
前記撮像素子から出力される前記撮像信号に基づくスルー画像と前記読出部により読み出された前記図形画像データに基づく画像を前記表示部において重ね合わせて表示する表示制御部と
を備えることを特徴とする撮像装置。
【請求項２】
被写体光を撮像する撮像素子と、
前記被写体の光学像を目視観察するための光学式ファインダと、
前記撮像素子から出力される撮像信号に基づく画像の表示を行なう表示部と
を備える撮像装置であって、
ユーザにより作成された図形画像データを記憶する記憶部と、
前記記憶部から前記図形画像データを読み出す読出部と、
前記光学式ファインダにより目視観察する前記被写体の光学像に前記読出部により読み出された前記図形画像データに基づく画像を重ね合わせる光学部材と
を備えることを特徴とする撮像装置。
【請求項３】
被写体光を撮像する撮像素子と、
前記撮像素子から出力される撮像信号に基づく画像により被写体の像を目視観察するための電子ビューファインダと
を備える撮像装置であって、
ユーザにより作成された図形画像データを記憶する記憶部と、
前記記憶部から前記図形画像データを読み出す読出部と、
前記電子ビューファインダにより目視観察する前記被写体の画像に前記読出部により読み出された前記図形画像データに基づく画像を重ね合わせて表示する表示制御部と
を備えることを特徴とする撮像装置。
【請求項４】
ユーザにより作成された前記図形画像データを受信する受信部を更に備え、
前記記憶部は、前記受信部により受信された前記図形画像データを記憶することを特徴とする請求項１乃至請求項３の何れか一項に記載の撮像装置。
【請求項５】
前記図形画像データを作成する図形画像データ作成部を更に備え、
前記記憶部は、前記図形画像データ作成部により作成された前記図形画像データを記憶することを特徴とする請求項１乃至請求項３の何れか一項に記載の撮像装置。
【請求項６】
前記記憶部は、前記図形画像データに対して撮影モード情報を関連付けて記憶し、
前記読出部は、前記記憶部に記憶されている前記図形画像データの中から、選択された撮影モード情報を有する前記図形画像データ読み出すことを特徴とする請求項１乃至請求項５の何れか一項に記載の撮像装置。
【請求項７】
前記記憶部に記憶されている前記図形画像データに関連付けて撮影モード情報を入力する撮影モード情報入力部を更に備え、
前記記憶部は、前記図形画像データに対して前記撮影モード情報入力部により入力された撮影モード情報を関連付けて記憶することを特徴とする請求項１乃至請求項６の何れか一項に記載の撮像装置。
【請求項８】
前記図形画像データは、格子線データであることを特徴とする請求項１乃至請求項７の何れか一項に記載の撮像装置。
【請求項９】
前記記憶部において、前記図形画像データに対して関連付けて記憶されている撮影モード情報が夜景撮影モードである場合の前記格子線データは、輝度の高い格子線データであることを特徴とする請求項８記載の撮像装置。
【請求項１０】
前記記憶部において、前記図形画像データに対して関連付けて記憶されている撮影モード情報が風景撮影モードである場合の前記格子線データは、画面の左右方向に延びる格子線データであることを特徴とする請求項８記載の撮像装置。
【発明の詳細な説明】
【技術分野】
【０００１】
本発明は、被写体光を撮像する撮像素子を備える撮像装置に関するものである。
【背景技術】
【０００２】
従来、カメラ本体に装着された撮影レンズの機能や仕様を判別し、撮影レンズの機能や仕様に基づいて予め記憶されている目盛線や格子線を選択して自動的にスルー画像に対して合成して表示するデジタルカメラが提案されている（特許文献１参照）。
【特許文献１】特開２００７−３６９８３号公報
【発明の開示】
【発明が解決しようとする課題】
【０００３】
ところで、スルー画像に対して合成して表示される目盛線や格子線は、撮影時の構図の決定等に用いられるものであるが、上述の特許文献１に記載されているデジタルカメラにおいては、スルー画像に合成して表示することができる目盛線や格子線は、予めデジタルカメラに用意されている目盛線や格子線から選択されたものに限られることから、構図の決定を行なう際に有効に用いることが出来ない場合があった。
【０００４】
本発明は、被写体の像にユーザが任意に作成した図形画像を重ね合わせて表示することができる撮像装置を提供することを目的とする。
【課題を解決するための手段】
【０００５】
以下に本発明の構成を実施の形態の符号を付して説明するが、本発明は、本実施の形態に限定されるものではない。
【０００６】
本発明の撮像装置（２）は、被写体光を撮像する撮像素子（６１）と、前記撮像素子から出力される撮像信号に基づく画像の表示を行なう表示部（６３）とを備える撮像装置であって、ユーザにより作成された図形画像データを記憶する記憶部（６７）と、前記記憶部から前記図形画像データを読み出す読出部（６０）と、前記撮像素子から出力される前記撮像信号に基づくスルー画像と前記読出部により読み出された前記図形画像データに基づく画像を前記表示部において重ね合わせて表示する表示制御部（６４）とを備えることを特徴とする。
【０００７】
また、本発明の撮像装置（２０）は、被写体光を撮像する撮像素子（６１）と、前記被写体の光学像を目視観察するための光学式ファインダ（ＦＤ）と、前記撮像素子から出力される撮像信号に基づく画像の表示を行なう表示部（６３）とを備える撮像装置であって、ユーザにより作成された図形画像データを記憶する記憶部（６７）と、前記記憶部から前記図形画像データを読み出す読出部（６０）と、前記光学式ファインダにより目視観察する前記被写体の光学像に前記読出部により読み出された前記図形画像データに基づく画像を重ね合わせる光学部材（３４）とを備えることを特徴とする。
【０００８】
また、本発明の撮像装置（２１）は、被写体光を撮像する撮像素子（６１）と、前記撮像素子から出力される撮像信号に基づく画像により被写体の像を目視観察するための電子ビューファインダ（７２）とを備える撮像装置であって、ユーザにより作成された図形画像データを記憶する記憶部（６７）と、前記記憶部から前記図形画像データを読み出す読出部（６０）と、前記電子ビューファインダにより目視観察する前記被写体の画像に前記読出部により読み出された前記図形画像データに基づく画像を重ね合わせて表示する表示制御部（６４）とを備えることを特徴とする。
【発明の効果】
【０００９】
本発明の撮像装置によれば、被写体の像にユーザが任意に作成した格子線などの図形画像を重ね合わせて表示することができるため、被写体の像に重ね合わせて表示された図形画像を撮影時の構図の決定等に有効に用いることができる。
【発明を実施するための最良の形態】
【００１０】
以下、図面を参照して本発明の第１の実施の形態に係る撮像装置について説明する。図１は、第１の実施の形態に係るデジタルカメラ２のブロック構成図である。図１に示すように、デジタルカメラ（撮像装置）２は、撮影レンズ４とカメラボディ６とを備えている。ここで撮影レンズ４は、カメラボディ６に固定されているものでも良いし、交換式の撮影レンズでも良い。
【００１１】
カメラボディ６には、ＣＰＵ６０が設けられており、ＣＰＵ６０には、撮影レンズ４を介した被写体光を撮像して撮像信号（蓄積電荷としてのアナログ信号）を生成するＣＣＤ或いはＣＭＯＳ等により構成される撮像素子６１、撮像素子６１から出力された撮像信号を、図示しないＡ／Ｄ変換部においてＡ／Ｄ変換して画像データを生成し、この画像データを一時的に記憶する画像データ記憶部６２、カメラボディ６の背面に配置され画像データの表示を行なうＬＣＤにより構成される表示部６３、撮像素子６１から出力される撮像信号に基づく画像の表示部６３への表示及び後述する格子線等の図形画像の表示部６３への表示等を制御する表示制御部６４、撮像素子６１から出力される撮像信号に基づく画像データに、ホワイトバランス調整、輪郭補償、ガンマ補正等の画像処理を行なう画像処理部６５、画像データを記憶するメモリカード６６、格子線データ等の図形画像データを記憶する図形画像データ記憶部６７、スルー画像の表示指示、格子線の表示指示等を行なう操作ボタン６８及び格子線データ等の図形画像データの作成等を行なうパーソナルコンピュータ（ＰＣ）８０との間の通信を行なう通信部６９が接続されている。
【００１２】
図２（ａ）〜（ｄ）は、図形画像データ記憶部６７に記憶されている格子線データ（図形画像データ）を示すものである。この格子線データは、様々な被写体の撮影の際に、効果的に構図の決定を行なうことができるように、ユーザによりＰＣ８０において作成されたものであり、通信部６９を介して受信して図形画像データ記憶部６７に予め記憶されているものである。
【００１３】
次に、図３を参照して、被写体の像に格子線を重ね合わせて表示を行なう場合の表示処理について説明する。デジタルカメラ２の図示しない電源ボタンが操作されてデジタルカメラ２の電源がＯＮにされ（ステップＳ１０）、操作ボタン６８の操作によりスルー画像の表示が指示されると（ステップＳ１１）、撮像素子６１において所定のサンプリング間隔毎に撮像が行なわれて撮像信号の出力が行なわれ、この所定のサンプリング間隔毎に撮像され出力された撮像信号に基づくスルー画像が表示制御部６４の制御の下、表示部６３において表示される（ステップＳ１２）。
【００１４】
また、操作ボタン６８の操作により、格子線の表示が指示された場合には（ステップＳ１３）、表示部６３におけるスルー画像の表示を中止して（ステップＳ１４）、図形画像データ記憶部６７から読み出された図形画像データに基づく格子線の表示が行なわれる（ステップＳ１５）。即ち、図形画像データ記憶部６７から読み出された格子線の図形画像データが表示制御部６４の制御の下、表示部６３において表示される（例えば、図２（ａ）〜（ｄ）の４つの格子線の画像が同時に表示部６３に表示される。）。従って、ユーザは、操作ボタン６８の操作により、表示部６３において被写体像に重ねて表示する格子線の任意の選択を行なう（ステップＳ１６）。ユーザによる格子線の選択が終了した場合には、表示制御部６４の制御の下、表示部６３において撮像素子６１から出力される撮像信号に基づくスルー画像と、選択された格子線の画像とを重ね合わせて表示する（ステップＳ１７）。
【００１５】
本第１の実施の形態に係るデジタルカメラによれば、表示部において表示される被写体の画像にユーザが任意に作成した格子線の画像を重ね合わせて表示することができるため、被写体の画像に重ね合わせて表示された格子線を撮影時の構図の決定等に有効に用いることができる。
【００１６】
次に、本発明の第２の実施の形態に係る撮像装置の説明を行なう。図４は、第２の実施の形態に係るデジタルカメラ（撮像装置）の概略構成を模式的に示した断面図である。なお、第２の実施の形態に係るデジタルカメラ２０については、第１の実施の形態に係るデジタルカメラ２の説明で、既に説明した部分の説明は省略し異なる部分について説明を行なう。また、第１の実施の形態に係るデジタルカメラ２と同一の構成には、第１の実施の形態で用いたのと同一の符号を用いて説明を行なう。
【００１７】
図４に示すように、デジタルカメラ２０は、撮影レンズ４、カメラボディ６及びカメラボディ６の上部に固定されているファインダ部ＦＤを備えている。カメラボディ６の内部には、ＣＣＤ或いはＣＭＯＳ等の撮像素子６１が取り付けられている。撮像素子６１の前面側には、クイックリターンミラーＲＭが回動可能に軸支されている。クイックリターンミラーＲＭは、図４中に点線で示すように、撮像素子６１の撮像面に対して略４５度で撮像素子６１の前面を遮断するミラーダウン位置と、図４において時計方向に回動して撮像素子６１の撮像面に対して略直交（フォーカシングスクリーン３２の下側で略平行）となるミラーアップ位置となるように、選択的に高速動作可能なミラーである。クイックリターンミラーＲＭがミラーダウン位置にあるときには、撮影レンズ４からの光（光学像）は、クイックリターンミラーＲＭにより上方に反射され、ファインダ部ＦＤに入射する。一方、クイックリターンミラーＲＭがミラーアップ位置にあるときには、撮影レンズ４からの光は撮像素子６１に入射される。
【００１８】
ファインダ部ＦＤは、撮影レンズ４やクイックリターンミラーＲＭを介して形成される被写体の光学像を目視観察するための光学式ファインダであり、フォーカシングスクリーン（焦点板）３２、ペンタプリズム３３、ハーフミラー３４、ＬＥＤ表示部３５、接眼部（接眼レンズ）３６等を備えて構成されている。カメラボディ６の背面には、撮像素子６１に結像される画像等を表示可能な表示部６３が設けられている。
【００１９】
図５は、第２の実施の形態に係るデジタルカメラ２０のブロック構成図であるが、ＬＥＤ表示部７０（図４では、ＬＥＤ表示部３５に相当する。）を備えている点を除けば、図１に示すデジタルカメラ２の構成と同一である。
【００２０】
第２の実施の形態に係るデジタルカメラ２０においては、第１の実施の形態に係るデジタルカメラ２と同様に、デジタルカメラ２０の電源がＯＮにされ、スルー画像の表示が行なわれている状態で、格子線の表示が指示された場合には、表示部６３におけるスルー画像の表示を中止して、図形画像データ記憶部６７から読み出された図形画像データに基づく格子線の画像の表示が行なわれる。この状態で、ユーザにより光学式ファインダＦＤにより目視観察する被写体の光学像に重ね合わせる格子線の画像が任意に選択された場合には、ＬＥＤ表示部７０において、選択された格子線の図形画像データに基づく表示を行い、ハーフミラー３４により被写体の光学像にＬＥＤ表示部７０により表示された格子線の画像を重ね合わせる。
【００２１】
従って、光学式ファインダにより、被写体の光学像に格子線の画像が重ね合わされた状態を目視観察することができるため、被写体の光学像に重ね合わされた格子線の画像を撮影時の構図の決定等に有効に用いることができる。
【００２２】
次に、本発明の第３の実施の形態に係る撮像装置の説明を行なう。図６は、第３の実施の形態に係るデジタルカメラ（撮像装置）のブロック構成図である。なお、第３の実施の形態に係るデジタルカメラ２１については、第１の実施の形態に係るデジタルカメラ２の説明で、既に説明した部分の説明は省略し異なる部分について説明を行なう。また、第１の実施の形態に係るデジタルカメラ２と同一の構成には、第１の実施の形態で用いたのと同一の符号を用いて説明を行なう。
【００２３】
図６に示すように、デジタルカメラ２１は、電子ビューファインダ７２を備えている点を除けば、図１に示すデジタルカメラ２の構成と同一である。第３の実施の形態に係るデジタルカメラ２１においては、第１の実施の形態に係るデジタルカメラ２と同様に、デジタルカメラ２０の電源がＯＮにされ、スルー画像の表示が行なわれている状態で、格子線の表示が指示された場合には、表示部６３におけるスルー画像の表示を中止して、図形画像データ記憶部６７から読み出された図形画像データに基づく格子線の画像の表示が行なわれる。この状態で、ユーザにより電子ビューファインダ７２により目視観察する被写体の像に重ね合わせる格子線の画像が任意に選択された場合には、表示制御部６４の制御の下、電子ビューファインダ７２において撮像素子６１から出力される撮像信号に基づくスルー画像と、選択された格子線の画像とを重ね合わせて表示する。
【００２４】
従って、電子ビューファインダ７２により、選択した格子線の画像を被写体の画像に重ね合わされた状態を目視観察することができるため、被写体の画像に重ね合わせて表示された格子線の画像を撮影時の構図の決定等に有効に用いることができる。
【００２５】
なお、この第３の実施の形態にでは、電子ビューファインダ７２と表示部６３（背面ＬＣＤ）とを併せ持つ構成としているが、電子ビューファインダ７２のみを有するものであっても良い。その場合、表示部６３で行なっていた格子線の選択は、電子ビューファインダ７２に格子線を表示させて選択するようにすれば良い。
【００２６】
また、上述の各実施の形態においては、ユーザが任意に選択した格子線の画像を表示部６３または電子ビューファインダ７２において表示されるスルー画像、または光学式ファインダＦＤにおいて目視観察される光学像に重ね合わせて表示しているが、格子線データに撮影モード情報を関連付けて記憶しておき、撮影を行なう場合に選択された撮影モードに応じて格子線データを選択して手読み出し、スルー画像または光学像に重ね合わせて表示するようにしても良い。図７は、図形画像データ記憶部６７に撮影モード情報と関連付けて記憶されている格子線データを示すものである。ここで図７（ａ）は、例えば、天体撮影などで利用される長時間撮影モードと関連付けて記憶されている複数の同心円により構成される格子線データである。図７（ｂ）は、風景撮影モードと関連付けて記憶されている画面の左右方向に延びる複数の破線により構成される格子線データである。図７（ｃ）は、スポーツ撮影モードと関連付けて記憶されている円と十字線とにより構成される格子線データである。図７（ｄ）は、夜景撮影モードと関連付けて記憶されている輝度が高い縦横破線により構成される格子線データである。
【００２７】
また、デジタルカメラに撮影モード情報を入力する撮影モード情報入力部を設け、図形画像データ記憶部６７に記憶されている図形画像データに撮影モード情報を付加して記憶させるようにしても良い。
【００２８】
また、デジタルカメラにおいて、操作ボタン６８及び表示部６３などを用いて、格子線データ（図形画像データ）を作成し図形画像データ記憶部６７に記憶するようにしても良い。この場合に、格子線データを作成すると同時に撮影モード情報入力部を用いて撮影モード情報を入力し、作成した格子線データに撮影モード情報を関連付けて記憶するようにしても良い。
【図面の簡単な説明】
【００２９】
【図１】第１の実施の形態に係るデジタルカメラのブロック構成図である。
【図２】第１の実施の形態に係る図形画像（格子線画像）を示す図である。
【図３】第１の実施の形態に係る格子線の表示処理を説明するためのフローチャートである。
【図４】第２の実施の形態に係るデジタルカメラの構成を模式的に示した断面図である。
【図５】第２の実施の形態に係るデジタルカメラのブロック構成図である。
【図６】第３の実施の形態に係るデジタルカメラのブロック構成図である。
【図７】実施の形態に係る図形画像（格子線画像）を示す図である。
【符号の説明】
【００３０】
２，２０，２１・・・デジタルカメラ、４・・・撮影レンズ、６・・・カメラボディ、６０・・・ＣＰＵ、６１・・・撮像素子、６２・・・画像データ記憶部、６３・・・表示部、６４・・・表示制御部、６５・・・画像処理部、６６・・・メモリカード、６７・・・図形画像データ記憶部、６８・・・操作ボタン、６９・・・通信部、７０・・・ＬＥＤ表示部、７２・・電子ビューファインダ。
【図１】
2009033507.tif 000003
【図２】
2009033507.tif 000004
【図３】
2009033507.tif 000005
【図４】
2009033507.tif 000006
【図５】
2009033507.tif 000007
【図６】
2009033507.tif 000008
【図７】
2009033507.tif 000009